(57)【要約】【課題】  液晶画面に表示した画像を見づらくすることなく、バックライトの光を外部を照らすための照明としても用いることが可能な液晶表示装置と、これを搭載した電子装置とを提供する。【解決手段】  電話機１のＣＰＵ２は、機能キーが第１指定時間以上押下されると、バックライト７３の光を外部を照らすための照明として用いる照明モードにて行うべき処理である照明モード処理を実行する。この照明モード処理では、バックライト７３の発光量を増大すると共に、液晶画面７１に形成された画像を消去し、更に、液晶画面７１のコントラストをキー操作によって設定可能なコントラストの下限よりも低く設定することで（Ｓ２１０〜Ｓ２２０）、液晶画面７１を透過するバックライト７３の透過光量を増大させる。【選択図】図５
2006208595.tif 000002
【特許請求の範囲】
【請求項１】
液晶画面と、
該液晶画面の背部から該液晶画面に光を照射するバックライトと、
を備え、前記液晶画面に画像を形成すると共に、前記バックライトを点灯して前記液晶画面に光を照射することにより、該液晶画面に形成した前記画像を該液晶画面上に表示する液晶表示装置において、
前記バックライトの光を前記画像の表示に用いる表示モードから外部を照らすための照明として用いる照明モードへの移行を要求する移行要求を受けると、前記表示モード時よりも前記液晶画面を透過する前記バックライトの光量を増大させる透過光量増大手段を備えることを特徴とする液晶表示装置。
【請求項２】
前記透過光量増大手段は、少なくとも前記バックライトの発光量を前記表示モード時よりも増大させることを特徴とする請求項１記載の液晶表示装置。
【請求項３】
前記透過光量増大手段は、少なくとも前記画像を消去することを特徴とする請求項１又は請求項２記載の液晶表示装置。
【請求項４】
前記透過光量増大手段は、少なくとも前記液晶画面のコントラストを前記表示モード時よりも低下させることを特徴とする請求項１乃至請求項３いずれか記載の液晶表示装置。
【請求項５】
外部から入力される指令に応じて、前記表示モード時における前記液晶画面のコントラストを予め指定された指定範囲内にて設定するコントラスト設定手段を備え、
前記透過光量増大手段は、前記液晶画面のコントラストを前記指定範囲の下限よりも低下させることを特徴とする請求項４記載の液晶表示装置。
【請求項６】
外部から入力される解除要求に応じて前記透過光量増大手段の作動を解除する第１の解除手段を備えることを特徴とする請求項１乃至請求項５いずれか記載の液晶表示装置。
【請求項７】
前記透過光量増大手段が作動してから一定時間が経過した際に、該透過光量増大手段の作動を解除する第２の解除手段を備えることを特徴とする請求項１乃至請求項６いずれか記載の液晶表示装置。
【請求項８】
当該液晶表示装置が、電池を電源に用いている際に、該電池の出力電圧が予め指定された指定電圧以下であれば、前記バックライトの点灯を禁止する点灯禁止手段を備えることを特徴とする請求項１乃至請求項７いずれか記載の液晶表示装置。
【請求項９】
請求項１乃至請求項８いずれか記載の液晶表示装置を搭載し、携帯可能に構成されていることを特徴とする電子装置。
【請求項１０】
電話機からなり、
少なくとも通話時に、前記液晶表示装置における透過光量増大手段の作動を禁止する作動禁止手段を備えることを特徴とする請求項９記載の電子装置。
【発明の詳細な説明】
【技術分野】
【０００１】
本発明は、液晶画面と、液晶画面の背部から液晶画面に光を照射するバックライトとを備え、液晶画面に画像を形成すると共に、バックライトを点灯して液晶画面に光を照射することにより、液晶画面に形成した画像を液晶画面上に表示する液晶表示装置と、これを搭載した電子装置とに関する。
【背景技術】
【０００２】
従来より、一般的に、コードレス電話機（子機など）や携帯電話機は、液晶表示装置を搭載し、液晶画面に電話番号や通話状態などの各種情報を表示するように構成されている。
【０００３】
より具体的には、これら電話機に搭載される液晶表示装置は、液晶画面に画像を形成すると共に、液晶画面の背部に配設されたバックライトを点灯して液晶画面に光を照射することにより、液晶画面に形成した画像を液晶画面上に表示するように構成されている（例えば、特許文献１を参照）。
【特許文献１】特開２００３−１００４７３号公報
【発明の開示】
【発明が解決しようとする課題】
【０００４】
ところで、このような電話機では、液晶画面を透過するバックライトの光を外部を照らすための照明として用いることが可能であると考えられる。
しかしながら、液晶表示装置は、通常、バックライトの光を画像の表示だけに用いるように構成されているため、バックライトの光を外部を照らすための照明として用いるには、液晶画面を透過するバックライトの光量が不十分である。
【０００５】
ここで、これを解決するために、バックライトの発光量を増大させることが考えられるが、この場合、液晶画面のコントラストが低下するのと同様の状態となり、液晶画面に表示した画像が見づらくなってしまうことが考えられる。
【０００６】
そこで、本発明は、液晶画面に表示した画像を見づらくすることなく、バックライトの光を外部を照らすための照明としても用いることが可能な液晶表示装置と、これを搭載した電子装置とを提供することを目的とする。
【課題を解決するための手段】
【０００７】
上記目的を達成するためになされた請求項１記載の発明は、液晶画面と、該液晶画面の背部から該液晶画面に光を照射するバックライトとを備え、液晶画面に画像を形成すると共に、バックライトを点灯して液晶画面に光を照射することにより、該液晶画面に形成した画像を該液晶画面上に表示する液晶表示装置において、バックライトの光を画像の表示に用いる表示モードから外部を照らすための照明として用いる照明モードへの移行を要求する移行要求を受けると、表示モード時よりも液晶画面を透過するバックライトの光量を増大させる透過光量増大手段を備えることを特徴とする。
【０００８】
この液晶表示装置では、照明モードへの移行要求を受けると、透過光量増大手段によって、表示モード時よりも液晶画面を透過するバックライトの光量（透過光量）が増大する。
【０００９】
つまり、この液晶表示装置では、照明モード時にのみ、透過光量を増大させるため、表示モード時に液晶画面に表示した画像を見づらくしてしまうことがなく、バックライトの光を外部を照らすための照明としても用いることができる。
【００１０】
尚、この液晶表示装置は、バックライトを常時点灯するように構成されていても良いし、一定時間だけ点灯するように構成されていても良い。
又、この液晶表示装置は、バックライトの光源が液晶画面の背部に配設されるように構成されていても良いし、バックライトの光源が液晶画面の背部以外の部位に配設され、その光が液晶画面の背部へと導かれたのち、液晶画面に照射されるように構成されていても良い。
【００１１】
ここで、透過光量増大手段は、表示モード時よりも透過光量を増大させることができるのであれば、どのように構成されていても良く、例えば、請求項２記載のように、少なくともバックライトの発光量を表示モード時よりも増大させるように構成されていても良い。
【００１２】
つまり、バックライトの発光量を増大させることにより、透過光量を増大させることができる。
尚、この場合、透過光量増大手段は、より具体的には、バックライトの光源に供給する電力を表示モード時よりも増大させることでバックライトの発光量を増大させるように構成されていても良いし、表示モード時よりも多くの光源を点灯することでバックライトの発光量を増大させるように構成されていても良い。
【００１３】
又、透過光量増大手段は、例えば、請求項３記載のように、少なくとも画像を消去するように構成されていても良い。
つまり、液晶画面に形成された画像を消去することにより、画像によってバックライトの光が遮断されることがなくなるため、透過光量を増大させることができる。
【００１４】
又、透過光量増大手段は、例えば、請求項４記載のように、少なくとも液晶画面のコントラストを表示モード時よりも低下させるように構成されていても良い。
つまり、一般的に、液晶画面には、コントラストを低下させると、画像の非形成領域を透過するバックライトの光量が増大するという特性があるため、これによって、透過光量を増大させることができる。
【００１５】
尚、この場合、請求項５記載のように、液晶表示装置は、外部から入力される指令に応じて、表示モード時における液晶画面のコントラストを予め指定された指定範囲内にて設定するコントラスト設定手段を備え、透過光量増大手段は、液晶画面のコントラストを指定範囲の下限よりも低下させるように構成されていると良い。
【００１６】
つまり、コントラスト設定手段によって、表示モード時における液晶画面のコントラストを指定範囲内にて調整して、表示モード時における画像をより見やすくすることができる上、照明モード時には透過光量をより一層増大させることができる。
【００１７】
ところで、上述した液晶表示装置はいずれも、請求項６記載のように、外部から入力される解除要求に応じて透過光量増大手段の作動を解除する第１の解除手段を備えると良い。
【００１８】
この場合、外部から解除要求を適宜入力することにより、透過光量増大手段の作動を解除することができるため、照明を必要とする場合にのみ、照明モードにすることができ、無駄な電力消費を防止することができる。
【００１９】
又、上述した液晶表示装置はいずれも、請求項７記載のように、透過光量増大手段が作動してから一定時間が経過した際に、該透過光量増大手段の作動を解除する第２の解除手段を備えると良い。
【００２０】
この場合、一定時間を適切に設定してやれば、照明モードを不必要に継続することがない。そして、特に、液晶表示装置が外部の商用電源を電源に用いている場合には、電池を電源に用いる場合よりも消費電力を気にしなくても良いため、操作者の要求に基づき照明モードを継続し、液晶表示装置が電池を電源に用い、且つ、透過光量増大手段がバックライトの発光量の増大させる場合には、一定時間経過後に透過光量増大手段の作動を解除するため、照明モードを不必要に継続して、電池の電力を無駄に消費してしまうことを防止できる。
【００２１】
又、上述した液晶表示装置はいずれも、請求項８記載のように、当該液晶表示装置が、電池を電源に用いている際に、該電池の出力電圧が予め指定された指定電圧以下であれば、バックライトの点灯を禁止する点灯禁止手段を備えると良い。
【００２２】
この場合、電池の残存電力が少なくなり、出力電圧が低下しているにも関わらず、バックライトを点灯して、電池の残存電力を消費してしまうことを防止できる。尚、この場合、液晶画面に形成された画像を外部の照明によって表示できるように液晶表示装置が構成されていれば、バックライトを点灯しなくても、液晶画面上に画像を表示することができる。
【００２３】
次に、請求項９記載の発明である電子装置は、請求項１乃至請求項８いずれか記載の液晶表示装置を搭載し、携帯可能に構成されていることを特徴とする。
このように構成された電子装置は、照明モード時に携帯可能な照明装置として用いることができ、ひいては、利便性の高い照明装置として用いることができる。
【００２４】
尚、上述の電子装置が電話機からなる場合には、請求項１０記載のように、少なくとも通話時に、液晶表示装置における透過光量増大手段の作動を禁止する作動禁止手段を備えることが望ましい。
【００２５】
つまり、照明モードに移行する必要のない通話時に照明モードに移行してしまうことを防止できる。そして、特に、電話機が電池を電源に用い、且つ、透過光量増大手段がバックライトの発光量を増大させる場合には、通話中に照明モードに移行して、無駄に電池の電力を消費してしまい、これによって通話可能時間が短くなってしまうことを防止できる。
【発明を実施するための最良の形態】
【００２６】
以下に本発明の実施形態を図面と共に説明する。
まず、図１は、本発明に係る電話機１の構成ブロック図である。尚、電話機１は、スキャナ機能や、プリンタ機能、ファクシミリ機能、電話機能などを統合した周知の複合機（ＭＦＰ）に具備されたコードレス電話機（子機）として構成されている。
【００２７】
図１に示すように、電話機１は、当該電話機１に搭載された各種デバイスを統括して制御するＣＰＵ２と、電波の送受信を行うＲＦモジュール３と、当該電話機１の外部から入力される音声を音声信号に変換するマイク４と、音声信号を音声に変換し、当該電話機１の外部へ出力するレシーバ５と、入力信号のダイナミックレンジの圧縮及び伸張を行うコンパンダ６とを備える。
【００２８】
又、電話機１は、画像を表示する液晶表示部７と、当該電話機１を外部操作するための各種キーからなるキーマトリックス８と、キーマトリックス８における特定のキーを点灯する操作部ＬＥＤ９と、記憶内容を書換え可能な不揮発性メモリであるＥＥＰＲＯＭ１０とを備える。
【００２９】
更に、電話機１は、当該電話機１に搭載された各種デバイスに電力を供給する二次電池１１と、二次電池１１の出力電圧Ｖｃｃを検出する電池電圧検出回路１２と、二次電池１１の出力電圧Ｖｃｃに応じて、ＣＰＵ２をリセットするリセット回路１３と、二次電池１１を充電する当該電話機１の外部の充電台２０の着脱を検出する着脱検出回路１４とを備える。
【００３０】
ここで、より具体的には、ＣＰＵ２は、単なるＣＰＵとして構成されているのではなく、当該ＣＰＵ２にて実行すべき各種処理のプログラムを記憶するＲＯＭ（図示せず）や、各種処理を実行する際に記憶領域として用いるＲＡＭ（図示せず）、当該ＣＰＵ２と各種デバイスとを接続する入出力ポート（図示せず）、時間の計測を行うタイマ（図示せず）などを内蔵する。
【００３１】
又、ＲＦモジュール３は、ＣＰＵ２から入力される周波数設定データに基づいて、電波の送信周波数や受信周波数を設定し、コンパンダ６からの入力信号を電波に重畳して電話機１の外部へ送信する一方、電話機１の外部から受信した電波に重畳された信号（音声信号やデータ信号）を抽出し、これら信号をコンパンダ６へ出力する。更に、受信した電波の強度を示す電波強度信号（ＲＳＳＩ信号）や、親機からの電波を受信した旨を示すキャリアセンス信号をＣＰＵ２へ出力する。
【００３２】
又、コンパンダ６は、ＣＰＵ２から入力される制御信号に基づいて、マイク４から入力される音声信号のダイナミックレンジを圧縮して、この音声信号をＲＦモジュール３へ出力する一方、ＲＦモジュール３から入力される音声信号のダイナミックレンジを伸張して、この音声信号をレシーバ５へ出力したり、ＲＦモジュール３から入力されるデータ信号をそのままのダイナミックレンジにてＣＰＵ２へ出力する。
【００３３】
又、キーマトリックス８は、各種キーが押下されると、押下されたキーを示す押下信号をＣＰＵ２へ出力する。
又、操作部ＬＥＤ９は、ＣＰＵ２から入力される点灯信号に基づいて、キーマトリックス８における特定のキー（本実施形態では、電話機１を外線に接続するために押下する外線キー（図示せず）や、電話機１を内線に接続するために押下する内線キー（図示せず）、電話機１と外線や内線との接続を解除（切断）するために押下する通話終了キー（図示せず）、電話機１の各種設定を行うために押下する機能キー（図示せず））を点灯する。
【００３４】
又、ＥＥＰＲＯＭ１０は、電話機１の各種設定値を記憶する一方、ＣＰＵ２からの要求に応じて、各種設定値をＣＰＵ２へ出力したり、各種設定値の書き換えを行う。
又、二次電池１１は、電話機１に着脱自在に構成されている。そして、電話機１に装着された状態で、電話機１が充電台２０に置かれると、電話機１の外部の商用電源に接続されたＡＣアダプタ２２のＡＣ／ＤＣ変換器２３と、充電台２０のレギュレータ２１とを介して、外部の商用電源から電力が供給される。
【００３５】
又、電池電圧検出回路１２は、二次電池１１の出力電圧Ｖｃｃを検出し、出力電圧Ｖｃｃの値を示す電圧値信号をＣＰＵ２へ出力する。
又、リセット回路１３は、二次電池１１の出力電圧Ｖｃｃを検出し、出力電圧ＶｃｃがＣＰＵ２の正常な動作が保証された最低電圧Ｖｌｏｗを下回った場合に、ＣＰＵ２をリセットするリセット信号をＣＰＵ２へ出力する。
【００３６】
又、着脱検出回路１４は、レギュレータ２１から二次電池１１へ供給される供給電圧Ｖｓを検出し、供給電圧Ｖｓが０Ｖとなった場合に、充電台２０が電話機１から外れたことを示す着脱信号をＣＰＵ２へ出力する。
【００３７】
又、液晶表示部７は、図２に示すように構成されている。尚、図２は、液晶表示部７の構成ブロック図である。
図２に示すように、液晶表示部７は、液晶画面７１と、液晶画面７１に画像を形成する液晶駆動回路７２と、液晶画面７１の背部から液晶画面７１に光を照射するバックライト７３と、バックライト７３を点灯させるバックライト駆動回路７４と、バックライト７３の発光量を増大させる発光量増大回路７５とから構成されている。
【００３８】
ここで、より具体的には、液晶画面７１は、周知のように、偏光板（図示せず）が貼り付けられ、又、画素単位で電極（画素電極）が形成された２枚のガラス基板（図示せず）間に液晶材（図示せず）を封入して構成されている。但し、本実施形態では、液晶画面７１は、カラーフィルタを備えず、画像をモノクロ表示するように構成されている。
【００３９】
又、液晶駆動回路７２は、ＣＰＵ２から入力される制御信号に基づいて、液晶画面７１の画素電極に電圧を印加し、液晶画面７１の各画素における偏光角を設定することで、液晶画面７１に画像を形成する。
【００４０】
又、バックライト７３は、液晶画面７１の背部以外の部位（本実施形態では、背部横側）に配設された当該バックライト７３の光源となるＬＥＤ７３１と、ＬＥＤ７３１の光と、電話機１の外部から液晶画面７１へ入射し、液晶画面７１を透過した光とを液晶画面７１の背部へ反射する導光板７３２とから構成されている。そして、バックライト７３では、ＬＥＤ７３１のカソードが、二次電池１１のグランドライン（ＧＮＤ）に接続されている。尚、本実施形態では、ＬＥＤ７３１は、白色光を発する白色ＬＥＤからなる。
【００４１】
又、バックライト駆動回路７４は、ＣＰＵ２から入力されるバックライト点灯信号によって作動し、二次電池１１の出力電圧Ｖｃｃを昇圧する昇圧回路７４１と、昇圧回路７４１の出力側とバックライト７３におけるＬＥＤ７３１のアノードとに接続され、昇圧回路７４１からＬＥＤ７３１へ流れ込む電流を制限する抵抗器Ｒ１とから構成されている。尚、本実施形態では、昇圧回路７４１は、チャージポンプ式からなり、１つもしくは複数のコンデンサＣ１を用いて、二次電池１１の出力電圧Ｖｃｃを昇圧するように構成されている。そして、昇圧回路７４１には、当該昇圧回路７４１へ入力される二次電池１１の出力電圧Ｖｃｃを平滑化するために、出力電圧Ｖｃｃの入力側と二次電池１１のＧＮＤとの間にコンデンサＣ２が接続されている一方、当該昇圧回路７４１の出力電圧Ｖｏｕｔを平滑化するために、出力電圧Ｖｏｕｔの出力側と二次電池１１のＧＮＤとの間にコンデンサＣ３が接続されている。
【００４２】
又、発光量増大回路７５は、エミッタがバックライト駆動回路７４における昇圧回路７４１の出力側に接続されたＰＮＰ型のトランジスタＴｒ１と、トランジスタＴｒ１のコレクタとバックライト７３におけるＬＥＤ７３１のアノードとに接続され、トランジスタＴｒ１を介して昇圧回路７４１からＬＥＤ７３１へ流れ込む電流を制限する抵抗器Ｒ２と、コレクタがトランジスタＴｒ１のベースに接続され、又、エミッタが二次電池１１のＧＮＤに接続され、又、ベースがＣＰＵ２に接続され、ＣＰＵ２から入力される発光量増大信号によって自らがＯＮすることによって、トランジスタＴｒ１をＯＮするＮＰＮ型のトランジスタＴｒ２とから構成されている。尚、本実施形態では、ＣＰＵ２からトランジスタＴｒ２のベースへ流れ込む電流を制限するために、ＣＰＵ２とトランジスタＴｒ２のベースとの間には、抵抗器Ｒ３が接続されている。又、トランジスタＴｒ２のＯＦＦ時にトランジスタＴｒ２のベース−エミッタ間に溜まった電荷を二次電池１１のＧＮＤへ放出して、トランジスタＴｒ２がＯＮからＯＦＦへ直ちに移行できるように、トランジスタＴｒ２のベース−エミッタ間には、抵抗器Ｒ４が接続されている。
【００４３】
つまり、この液晶表示部７では、ＣＰＵ２から入力される制御信号に従って、液晶駆動回路７２が、液晶画面７１に画像を形成する。そして、ＣＰＵ２から入力されるバックライト点灯信号によって、昇圧回路７４１が作動し、昇圧回路７４１からバックライト７３のＬＥＤ７３１へ電流が流れて、ＬＥＤ７３１が点灯し、バックライト７３が液晶画面７１へ光を照射することにより、液晶画面７１に形成された画像が液晶画面７１上に表示される。更に、ＣＰＵ２から入力される発光量増大信号によって、トランジスタＴｒ１，Ｔｒ２がＯＮし、ＬＥＤ７３１へ流れ込む電流が増加することにより、ＬＥＤ７３１の発光量が増大し、その結果、バックライト７３の発光量が増大する。
【００４４】
以上のように構成された電話機１では、当該電話機１に二次電池１１が装着され、ＣＰＵ２が起動すると、ＣＰＵ２が図３に示す起動処理を実行する。尚、図３は、ＣＰＵ２が実行する起動処理の流れを示すフローチャートである。
【００４５】
図３に示すように、本起動処理では、まず、ＥＥＰＲＯＭ１０から電話機１の各種設定値を読み込み（Ｓ１０）、読み込んだ各種設定値に基づいて、電話機１の各種設定を行う（Ｓ１５）。より具体的には、各種設定の１つとして、ＥＥＰＲＯＭ１０に予め設定された液晶画面７１のコントラスト値に従って、液晶画面７１の各画素電極に印加する電圧を決定し、それに応じた制御信号を液晶駆動回路７２へ出力して、コントラスト値に応じた電圧を各画素電極に印加させる。つまり、液晶画面７１の各画素では、画素電極に印加される電圧が大きいほど、バックライト７３の光を遮断する方向に偏光角が設定される特性があるため、その結果、各画素を透過するバックライト７３の透過光量が減少し、液晶画面７１のコントラストが高くなる（つまり、画像の濃度が高くなる）。又、画素電極に印加される電圧が小さいほど、バックライト７３の光を透過する方向に偏光角が設定される特性があるため、その結果、各画素を透過するバックライト７３の透過光量が増大し、液晶画面７１のコントラストが低くなる（つまり、画像の濃度が低くなる。）。尚、画素電極に印加される電圧が大きいほど、液晶画面７１の各画素における画像を形成していない部分（即ち、バックライト７３の光を透過すべき白色部分）の液晶分子も電圧の影響を受け、偏光角が生じてしまい、画面全体が暗くなる傾向がある。
【００４６】
そして、バックライト７３の光を画像の表示に用いる表示モードにて行うべき処理である表示モード処理を繰り返し実行する（Ｓ２０）。
ここで、図４は、ＣＰＵ２が実行する表示モード処理（Ｓ２０）の流れを示すフローチャートである。
【００４７】
図４に示すように、本表示モード処理では、まず、電話機１の待機状態時に液晶画面７１に形成すべき画像を液晶駆動回路７２に形成させる制御信号を液晶駆動回路７２へ出力し、液晶画面７１に待機状態時の画像を形成する（Ｓ１００）。
【００４８】
そして、親機が電話機１を呼び出しているか否かを判定する（Ｓ１０５）。より具体的には、まず、ＲＦモジュール３から入力されるＲＳＳＩ信号の電圧が一定電圧以上であり、且つ、ＲＦモジュール３からキャリアセンス信号が入力されているか否かを判定する。そして、ＲＳＳＩ信号の電圧が一定電圧以上であり、且つ、キャリアセンス信号が入力されていると判定した場合に、コンパンダ６から入力されるデータ信号（つまり、親機から送信されるデータ信号）が示すＩＤがＥＥＰＲＯＭ１０に予め設定された電話機１のＩＤと一致していれば、親機が電話機１を呼び出していると判定する。
【００４９】
ここで、親機が電話機１を呼び出していると判定した場合には（Ｙｅｓ：Ｓ１０５）、後述のＳ１２０へ移行する一方、呼び出していないと判定した場合には（Ｎｏ：Ｓ１０５）、電話機１が充電台２０から外れているか否かを判定する（Ｓ１１０）。より具体的には、着脱検出回路１４から着脱信号が入力されているか否かを確認し、着脱信号が入力されている場合にのみ、電話機１が充電台２０から外れていると判定する。
【００５０】
ここで、電話機１が充電台２０から外れていると判定した場合には（Ｙｅｓ：Ｓ１１０）、後述のＳ１２０へ移行する一方、充電台２０から外れていないと判定した場合には（Ｎｏ：Ｓ１１０）、外線キーもしくは内線キーが押下されているか否かを判定する（Ｓ１１５）。
【００５１】
ここで、外線キーもしくは内線キーが押下されていると判定した場合には（Ｙｅｓ：Ｓ１１５）、電話機１と親機とを無線接続する無線接続処理を実行したのち（Ｓ１２０）、本表示モード処理を終了する。尚、この無線接続処理では、親機との通信に関わる各種画像を液晶駆動回路７２に形成させる制御信号を液晶駆動回路７２へ出力して、親機との通信に関わる各種画像を液晶画面７１に形成すると共に、昇圧回路７４１へバックライト点灯信号を一定時間出力して、バックライト７３を一定時間点灯させ、親機との通信に関わる各種画像を液晶画面７１上に表示する。又、その一方で、ＲＦモジュール３へ周波数設定データを出力して、電波の送信周波数及び受信周波数を設定し、設定した送信周波数及び受信周波数にて親機と無線接続する（つまり、これにより、電話機１の操作者は、外線もしくは内線にて通話できる。）。そして、通話終了キーが押下されると、親機との無線接続を解除（切断）し、この無線接続処理を終了する。
【００５２】
一方、外線キーも内線キーも押下されていないと判定した場合には（Ｎｏ：Ｓ１１５）、機能キーが押下されているか否かを判定し（Ｓ１２５）、機能キーが押下されていないと判定した場合には（Ｎｏ：Ｓ１２５）、本表示モード処理を直ちに終了する。
【００５３】
一方、機能キーが押下されていると判定した場合には（Ｙｅｓ：Ｓ１２５）、昇圧回路７４１へバックライト点灯信号を出力して、バックライト７３を点灯する（Ｓ１３０）。そして、機能キーの押下が解除されるまで内蔵タイマにて押下時間を計測し、機能キーの押下時間が予め指定された指定時間（本実施形態では、２秒間）以上であるか否かを判定する（Ｓ１３５）。
【００５４】
ここで、押下時間が指定時間未満であると判定した場合には（Ｎｏ：Ｓ１３５）、各種設定に応じた処理（各種設定処理）を行う（Ｓ１４０）。例えば、予め設定されたコントラスト変更処理を実行する。尚、このコントラスト変更処理では、ＥＥＰＲＯＭ１０に記憶されたコントラスト値をキー操作によって入力されるコントラスト値に書き換えると共に、このコントラスト値に応じた制御信号を液晶駆動回路１２へ出力し、液晶画面７１のコントラストを変更する。但し、キー操作によって設定可能なコントラストの範囲は、実使用上、電話機１の操作者が画像を視認できる範囲に限定されている。
【００５５】
そして、この各種設定処理を実行し終えると、バックライト点灯信号の出力を停止して、バックライト７３を消灯し（Ｓ１４５）、本表示モード処理を終了する。
一方、Ｓ１３５にて、押下時間が指定時間以上であると判定した場合には（Ｙｅｓ：Ｓ１３５）、バックライト７３の光を外部を照らすための照明として用いる照明モードにて行うべき処理である照明モード処理を実行したのち（Ｓ１５０）、本表示モード処理を終了する。
【００５６】
ここで、図５は、ＣＰＵ２が実行する照明モード処理（Ｓ１５０）の流れを示すフローチャートである。
図５に示すように、本照明モード処理では、まず、電話機１が照明モードに移行した旨を示すメッセージを液晶駆動回路７２に形成させる制御信号を液晶駆動回路７２へ出力し、液晶画面７１にメッセージを形成する（Ｓ２００）。尚、本実施形態では、「コキライトＯＮ」というメッセージを形成する（図６（ｂ）参照）。
【００５７】
次いで、内蔵タイマによって時間を計測して、一定時間（本実施形態では３秒間）が経過するまで待機したのち（Ｓ２０５）、トランジスタＴｒ２へ発光量増大信号を出力して、トランジスタＴｒ１，Ｔｒ２をＯＮし、バックライト７３の発光量を増大させることで、液晶画面７１を透過するバックライト７３の透過光量を増大させる（Ｓ２１０）。続いて、液晶画面７１に形成させた画像を液晶駆動回路７２に消去させる制御信号を液晶駆動回路７２へ出力して、液晶画面７１から画像を消去し、画像によってバックライト７３の光が遮断されることを防ぐことで、バックライト７３の透過光量を更に増大させる（Ｓ２１５、図６（ｃ）参照）。更に、液晶画面７１のコントラストをキー操作によって設定可能なコントラストの範囲の下限よりも低く設定する制御信号を液晶駆動回路７２へ出力し、液晶画面７１のコントラストをキー操作によって設定可能なコントラストの下限よりも低く設定することで、バックライト７３の透過光量を更に増大させる（Ｓ２２０）。つまり、上述したように、液晶画面７１では、コントラストを低く設定すると、各画素を透過するバックライト７３の透過光量が増大する特性があるため、その結果、バックライト７３の透過光量が増大する。尚、本実施形態では、液晶画面７１にて設定可能な最低のコントラストを設定する。
【００５８】
そして、上述のＳ１１０と同様に、電話機１が充電台２０から外れたか否かを判定し（Ｓ２２５）、充電台２０から外れていると判定した場合には（Ｙｅｓ：Ｓ２２５）、電池電圧検出回路１２から入力される電圧値信号が示す二次電池１１の出力電圧Ｖｃｃが予め指定された指定電圧（本実施形態では、２．３Ｖ）以上であるか否かを判定する（Ｓ２３０）。
【００５９】
ここで、出力電圧Ｖｃｃが指定電圧未満であると判定した場合には（Ｎｏ：Ｓ２３０）、後述のＳ２６０へ移行する一方、指定電圧以上であると判定した場合には（Ｙｅｓ：Ｓ２３０）、内蔵タイマによる時間の計測を開始する（Ｓ２３５）。そして、キーマトリックス８におけるいずれかのキーが押下されているか否かを判定し（Ｓ２４０）、いずれかのキーが押下されていると判定した場合には（Ｙｅｓ：Ｓ２４０）、後述のＳ２６０へ移行する。一方、いずれのキーも押下されていないと判定した場合には（Ｎｏ：Ｓ２４０）、内蔵タイマの計測時間が予め指定された第２指定時間（本実施形態では、５分間）の経過を示しているか否かを判定する（Ｓ２４５）。
【００６０】
ここで、第２指定時間が経過していないと判定した場合には（Ｎｏ：Ｓ２４５）、上述のＳ２３０へ再度移行する一方、第２指定時間が経過していると判定した場合には（Ｙｅｓ：Ｓ２４５）、後述のＳ２６０へ移行する。
【００６１】
一方、Ｓ２２５にて、充電台２０が外れていないと判定した場合には（Ｎｏ：Ｓ２２５）、上述のＳ２３０と同様に、出力電圧Ｖｃｃが指定電圧以上であるか否かを判定し（Ｓ２５０）、出力電圧Ｖｃｃが指定電圧未満であると判定した場合には（Ｎｏ：Ｓ２５０）、後述のＳ２６０へ移行する。
【００６２】
一方、出力電圧Ｖｃｃが指定電圧以上であると判定した場合には（Ｙｅｓ：Ｓ２５０）、上述のＳ２４０と同様に、キーマトリックス８におけるいずれかのキーが押下されているか否かを判定し（Ｓ２５５）、いずれのキーも押下されていないと判定した場合には（Ｎｏ：Ｓ２５５）、上述のＳ２５０へ再度移行する。
【００６３】
一方、いずれかのキーが押下されていると判定した場合には（Ｙｅｓ：Ｓ２５５）、発光量増大信号の出力を停止して、トランジスタＴｒ１，Ｔｒ２をＯＦＦし、バックライト７３の発光量を低減させる（Ｓ２６０）。続いて、ＥＥＰＲＯＭ１０に設定されたコントラスト値を読み込み、これに応じた制御信号を液晶駆動回路７２へ出力して、液晶画面７１のコントラストを再設定する（Ｓ２６５）。そして、待機状態時の画像を液晶駆動回路７２に形成させる制御信号を液晶駆動回路７２へ出力して、待機状態時の画像を液晶画面７１に形成すると共に（Ｓ２７０）、バックライト点灯信号の出力を停止して、バックライト７３を消灯し（Ｓ２７５）、本照明モード処理を終了する。
【００６４】
以上のように、本実施形態の電話機１では、図６に示すように、バックライト７３の光を画像の表示に用いる表示モード時（図６（ａ）参照）に、電話機１が充電台２０に置かれた状態で、機能キーが第１指定時間以上押下され、バックライト７３の光を照明として用いる照明モードへの移行要求がなされると、照明モードへ移行する旨のメッセージを液晶画面７１に表示する（図６（ｂ）参照）。続いて、一定時間が経過すると、バックライト７３の発光量を増大させたり、液晶画面７１から画像を消去したり、液晶画面７１のコントラストを低く設定して（図６（ｃ）参照）、液晶画面７１を透過するバックライト７３の透過光量を増大させる。尚、図６は、表示モード時や照明モード時における液晶画面７１の状態を示す説明図である。
【００６５】
つまり、本実施形態の電話機１では、照明モード時にのみ、透過光量を増大させるため、表示モード時に液晶画面７１に表示した画像を見づらくしてしまうことがなく、バックライト７３の光を外部を照らすための照明としても用いることができる。
【００６６】
又、本実施形態の電話機１では、照明モード時に何かキーを押下することで照明モードを解除することができるため、照明を必要とする場合にのみ、照明モードにすることができ、無駄な電力消費を防止することができる。
【００６７】
又、本実施形態の電話機１では、当該電話機１が充電台２０に置かれて、商用電源を電源に用いている場合には、操作者の要求に基づき照明モードを継続し、当該電話機１が充電台２０から外されている場合（つまり、二次電池１１を電源に用いている場合）には、第２指定時間経過後に照明モードを解除するため、照明モードを不必要に継続して、二次電池１１の電力を無駄に消費してしまうことを防止できる。
【００６８】
又、本実施形態の電話機１では、二次電池１１の出力電圧Ｖｃｃが指定電圧以下であれば、直ちにバックライト７３を消灯するため（つまり、バックライト７３の点灯を禁止するため）、二次電池１１の残存電力が少なくなり、出力電圧Ｖｃｃが低下しているにも関わらず、バックライト７３を点灯して、二次電池１１の残存電力を消費してしまうことを防止できる。
【００６９】
又、本実施形態の電話機１は、コードレス電話機からなり、携帯可能であるため、照明モード時に携帯可能な照明装置として用いることができ、ひいては、利便性の高い照明装置として用いることができる。
【００７０】
又、本実施形態の電話機１では、親機との無線接続時（つまり、通話時）に照明モードに移行することがないため（図４参照）、通話中に照明モードに移行して、無駄に二次電池１１の電力を消費してしまい、これによって通話可能時間が短くなってしまうことを防止できる。
【００７１】
又、本実施形態の電話機１では、キー操作によって表示モード時の液晶画面７１のコントラストを設定できるため、表示モード時における液晶画面７１のコントラストを調整して、表示モード時における画像をより見やすくすることができる。その上、照明モード時には、液晶画面７１のコントラストをキー操作によって設定可能なコントラストの範囲の下限よりも低く設定するため、照明モード時には透過光量をより一層増大させることができる。
【００７２】
尚、本実施形態では、照明モードのコントラスト値を設定可能な値よりも更に低い値になるように設定したが、特にこれに限らず、光量が大きくなるように設定されれば良い。又、照明モードの解除は、特定のキーが押下された場合に解除させても良い。
【００７３】
又、指定電圧以下になった場合には、照明モードを終了しているが、バックライト７３の発光量を低減した状態で照明モードを続けるようにしても良い。このような構成であれば、消費電力を低減させつつも、できるだけ長い時間照明モードを続けることができる。
【００７４】
又、本実施形態では、充電台２０に載置されている場合に照明モードに切り替わるように構成されているが（図４におけるＳ１１０：Ｎｏ）、これに限らず、充電台２０から取り上げられた状態から、機能キーが一定時間押下される等の指示を受けた場合に図５の照明モード処理を行うように処理を行っても良い。移動可能な状態にて照明モードに入ることができるので、所望の場所の所望のときに照明モードに切り替えることができる。
【００７５】
照明モードへの切替は、機能キーの一定時間の押下によって行われているが、これに限らず、例えば、照明モード切替時間の設定等を予め行うことで、所定時間になると自動的に照明モードに切り替わるようにしても良い。
【００７６】
尚、本実施形態では、液晶画面７１が本発明における液晶画面に相当し、バックライト７３が本発明におけるバックライトに相当する。
又、本実施形態では、液晶駆動回路７２と、発光量増大回路７５と、ＣＰＵ２が実行する表示モード処理のＳ１３５と、照明モード処理のＳ２１０，Ｓ２１５，Ｓ２２０とが本発明における透過光量増大手段に相当する。
【００７７】
又、本実施形態では、液晶駆動回路７２と、ＣＰＵ２が実行する表示モード処理のＳ１４０が本発明におけるコントラスト設定手段に相当し、照明モード処理のＳ２４０，Ｓ２５５，Ｓ２６０，Ｓ２６５，Ｓ２７０が本発明における第１の解除手段に相当し、照明モード処理のＳ２３５，Ｓ２４５，Ｓ２６０，Ｓ２６５，Ｓ２７０が本発明における第２の解除手段に相当する。
【００７８】
又、本実施形態では、ＣＰＵ２が実行する照明モード処理のＳ２３０，Ｓ２７５が本発明における点灯禁止手段に相当し、表示モード処理のＳ１０５，Ｓ１１０，Ｓ１１５が本発明における作動禁止手段に相当する。
【００７９】
以上、本発明の実施の形態について説明したが、本発明は、上記実施形態に何ら限定されることはなく、本発明の技術的範囲に属する限り種々の形態をとり得ることはいうまでもない。
【００８０】
例えば、上記実施形態では、ＣＰＵ２は、バックライト７３を常時点灯するように設定されていなかったが、常時点灯するように設定されていても良い。
又、上記実施形態では、ＬＥＤ７３１は、液晶画面７１の背部横側に配設されていたが、液晶画面７１の背部に配設されていても良い。
【００８１】
又、上記実施形態では、液晶画面７１は、画像をモノクロ表示するように構成されていたが、カラーフィルタを具備して、画像をカラー表示できるように構成されていても良い。
【００８２】
又、上記実施形態では、ＬＥＤ７３１は、白色ＬＥＤからなっていたが、白色以外の発光色を放つＬＥＤからなっていても良い。
又、上記実施形態では、ＬＥＤ７３１へ流れ込む電流を増大させることで、バックライト７３の発光量を増大させたが、バックライト７３にＬＥＤ７３１を複数設け、照明モード時に、ＬＥＤ７３１の点灯数を表示モード時よりも増加させることで、バックライト７３の発光量を増大させても良い。
【００８３】
又、上記実施形態では、本発明を複合機の子機に適用したが、これ以外の通信装置（例えば、ファクシミリ）の子機に適用しても良いし、携帯電話機に適用しても良い。又、電話機以外で携帯可能な電子装置（例えば、ＰＤＡなど）に適用しても良い。
【図面の簡単な説明】
【００８４】
【図１】本発明に係る電話機１の構成ブロック図である。
【図２】液晶表示部７の構成ブロック図である。
【図３】ＣＰＵ２が実行する起動処理の流れを示すフローチャートである。
【図４】ＣＰＵ２が実行する表示モード処理の流れを示すフローチャートである。
【図５】ＣＰＵ２が実行する照明モード処理の流れを示すフローチャートである。
【図６】表示モード時や照明モード時における液晶画面７１の状態を示す説明図である。
【符号の説明】
【００８５】
１…電話機、２…ＣＰＵ、３…ＲＦモジュール、４…マイク、５…レシーバ、６…コンパンダ、７…液晶表示部、８…キーマトリックス、９…操作部ＬＥＤ、１０…ＥＥＰＲＯＭ、１１…二次電池、１２…電池電圧検出回路、１３…リセット回路、１４…着脱検出回路、２０…充電台、２１…レギュレータ、２２…ＡＣアダプタ、２３…ＡＣ／ＤＣ変換器、７１…液晶画面、７２…液晶駆動回路、７３…バックライト、７４…バックライト駆動回路、７５…発光量増大回路、７３１…ＬＥＤ、７３２…導光板、７４１…昇圧回路、Ｃ１，Ｃ２，Ｃ３…コンデンサ、Ｒ１，Ｒ２，Ｒ３，Ｒ４…抵抗器、Ｔｒ１，Ｔｒ２…トランジスタ。
【図１】
2006208595.tif 000003
【図２】
2006208595.tif 000004
【図３】
2006208595.tif 000005
【図４】
2006208595.tif 000006
【図５】
2006208595.tif 000007
【図６】
2006208595.tif 000008